(57)【要約】      （修正有）【課題】家庭用スプーン３３は、把持柄９の両端部のうち一端部側の頭部１０にすくい部５を設けたスプ−ン本体１と、このスプ−ン本体１の把持柄９の両端部のうち他端部側の尻部１１に設けた収容孔１４に対し２本ピン２０を着脱可能に挿入して把持柄９の尻部１１に支持し得る家庭用つまようじ１７とを備えている。この家庭用つまようじ１７は２本ピン２０を収容孔１４に挿入した状態で収容孔１４の外側に露出する装飾部２５を有している。【解決手段】家庭用スプーン３３において、家庭用つまようじ１７の紛失を防止するとともに、把持柄９を把持する際に２本ピン２０に触れることがなくなって２本ピン２０の汚れを防止し、家庭用つまようじ１７をくり返し使用し易くすることができる。【選択図】図７
2006296868.tif 000002
【特許請求の範囲】
【請求項１】
把持柄の両端部のうち一端部側の頭部に主機能部を設けた主用具を備えた手動器具において、この主用具の把持柄の両端部のうち他端部側の尻部に収容孔を設け、この収容孔に副機能部を着脱可能に挿入して把持柄の尻部に支持し得る副用具を備えたことを特徴とする手動器具。
【請求項２】
前記把持柄の尻部においては端面部の外周から頭部側へ周面部が延び、前記収容孔はこの尻部の端面部に開放した口部から尻部の周面部の内側で把持柄の頭部側へ延び、前記副用具の副機能部を口部から収容孔に対し着脱可能に挿入し得ることを特徴とする請求項１に記載の手動器具。
【請求項３】
前記副用具は副機能部を収容孔に挿入した状態で収容孔の外側に露出する装飾部または摘みを有していることを特徴とする請求項１または請求項２に記載の手動器具。
【請求項４】
前記副用具は副機能部を収容孔に挿入した状態で把持柄の尻部の外側に配置されるクリップを有していることを特徴とする請求項１または請求項２または請求項３に記載の手動器具。
【請求項５】
前記主用具はスプ−ン本体またはフォーク本体またはへら本体であり、前記副用具は家庭用つまようじまたは家庭用ナイフまたは家庭用挟持具であることを特徴とする請求項１から請求項４のうちいずれかの請求項に記載の手動器具。
【発明の詳細な説明】
【技術分野】
【０００１】
本発明は、食卓用器具や調理用器具や台所用器具など、把持柄を有するスプーン等の手動器具に関するものである。
【背景技術】
【０００２】
下記特許文献１に記載の手動器具としてのスプーンにおいては、柄部の両端部のうち一端部側の頭部に主機能部としてのすくい部を設けた主用具としてのスプーン本体と、副機能部としてのピック部を有する副用具としてのつまようじとを備えている。
【特許文献１】特開平１１−１５５７１７号公報
【発明の開示】
【発明が解決しようとする課題】
【０００３】
上記特許文献１のスプーンにおいて、つまようじはスプーン本体の柄部で頭部と尻部との間の把持面に設けられた切溝に収容され、使用時には連結部を切断してつまようじを柄部から分離する。しかし、つまようじを一旦柄部から分離すると、再びつまようじを柄部の切溝に収容することは難しく、つまようじをくり返し使用したい場合には別の場所に保管しなければならず、つまようじを紛失するおそれがある。また、つまようじがスプーン本体の柄部で露出しているため、スプーン本体の柄部を握る際につまようじに触れ易くなり、柄部を把持しにくくなるばかりでなく、つまようじが汚れるおそれがある。
【０００４】
この発明は、手動器具で主用具に副用具を付設する構造を改良することにより、副用具の紛失や汚れを防止して副用具をくり返し使用し易くすることを目的としている。
【課題を解決するための手段】
【０００５】
後記実施形態の図面（図１〜１１）の符号を援用して本発明を説明する。
請求項１の発明にかかる手動器具は下記のように構成されている。
この手動器具３３，３４，３５，３６，３７においては、把持柄９の両端部のうち一端部側の頭部１０に主機能部５，６，７，８を設けた主用具１，２，３，４を備え、この主用具１，２，３，４の把持柄９の両端部のうち他端部側の尻部１１に収容孔１４を設け、この収容孔１４に副機能部２０，２１，２２，２７，３０を着脱可能に挿入して把持柄９の尻部１１に支持し得る副用具１７，１８，１９，２６，２９を備えている。
【０００６】
請求項１の発明を前提とする請求項２の発明においては、前記把持柄９の尻部１１で端面部１２の外周から頭部１０側へ周面部１３が延び、前記収容孔１４はこの尻部１１の端面部１２に開放した口部１４ａから尻部１１の周面部１３の内側で把持柄９の頭部１０側へ延び、前記副用具１７，１８，１９，２６，２９の副機能部２０，２１，２２，２７，３０を口部１４ａから収容孔１４に対し着脱可能に挿入し得る。
【０００７】
請求項１〜２の発明では、副用具１７，１８，１９，２６，２９の副機能部２０，２１，２２，２７，３０が主用具１，２，３，４で把持柄９の収容孔１４に挿入されるため、副用具１７，１８，１９，２６，２９の紛失を防止することができるとともに、把持柄９を把持する際に副機能部２０，２１，２２，２７，３０に触れることがなくなって副機能部２０，２１，２２，２７，３０の汚れを防止することができる。
【０００８】
請求項１または請求項２の発明を前提とする請求項３の発明において、前記副用具１７，１８，１９，２６，２９は副機能部２０，２１，２２，２７，３０を収容孔１４に挿入した状態で収容孔１４の外側に露出する装飾部２５，２８，３２または摘み２５，２８，３２を有している。請求項３の発明では、副用具１７，１８，１９，２６，２９の装飾部２５，２８，３２により、主用具１，２，３，４の外観を良くすることができる。また、副用具１７，１８，１９，２６，２９の摘み２５，２８，３２により、主用具１，２，３，４に対する副用具１７，１８，１９，２６，２９の着脱を容易にすることができる。
【０００９】
請求項１または請求項２または請求項３の発明を前提とする請求項４の発明において、前記副用具１７，１８，１９，２６，２９は副機能部２０，２１，２２，２７，３０を収容孔１４に挿入した状態で把持柄９の尻部１１の外側に配置されるクリップ３２を有している。請求項４の発明では、副用具１７，１８，１９，２６，２９のクリップ３２により、不使用時において手動器具３３，３４，３５，３６，３７の保管や持運びを容易にすることができる。
【００１０】
請求項１から請求項４のうちいずれかの請求項の発明を前提とする請求項５の発明において、前記主用具はスプ−ン本体１，３またはフォーク本体２またはへら本体４であり、前記副用具は家庭用つまようじ１７，１８，２９または家庭用ナイフ１９または家庭用挟持具２６である。請求項５の発明では、家庭用スプ−ン３３，３４，３７または家庭用フォーク３５または家庭用へら３６において、請求項１から請求項４のうちいずれかの請求項の発明の効果を発揮することができる。
【発明の効果】
【００１１】
本発明は、手動器具３３，３４，３５，３６，３７において副用具１７，１８，１９，２６，２９の紛失や汚れを防止して副用具１７，１８，１９，２６，２９をくり返し使用し易くすることができる。
【発明を実施するための最良の形態】
【００１２】
以下、本発明の一実施形態にかかる手動器具について図１〜１１を参照して説明する。
図１（ａ）（ｂ）に示す主用具としてのスプーン本体１や、図２（ａ）（ｂ）に示す主用具としてのフォーク本体２や、図３（ａ）（ｂ）に示す主用具としてのフォーク付きスプーン本体３や、図４（ａ）（ｂ）に示す主用具としてのへら本体４においては、いずれも、金属からなる主機能部としてのすくい部５やフォーク部６やフォーク付きすくい部７やへら部８が金型内にインサートされた状態でその金型に合成樹脂が注入されて把持柄９がインサート成形され、プラスチックからなる把持柄９の両端部のうち一端部側の頭部１０にこのすくい部５やフォーク部６やフォーク付きすくい部７やへら部８が取着されている。このすくい部５やフォーク部６やフォーク付きすくい部７やへら部８は、プラスチックにより把持柄９とともに一体成形してもよいし、把持柄９の頭部１０に挿着してもよい。図５（ａ）（ｂ）に示すように、この把持柄９の両端部のうち他端部側の尻部１１においては、端面部１２の外周から頭部１０側へ周面部１３が延び、この端面部１２に開放された口部１４ａから収容孔１４が周面部１３の内側で頭部１０側へ延設されている。この収容孔１４の外周部両側で尻部１１の周面部１３には切込み１５が尻部１１の端面部１２から頭部１０側へ形成され、この両切込み１５により周面部１３が弾性片１３ａに二分されている。この周面部１３の両弾性片１３ａの内周には係止溝１６が周方向全体に形成されている。この把持柄９の外周面には絵柄を付してもよい。なお、この両切込み１５を省略してもよい。
【００１３】
図６（ａ）に示す副用具としての家庭用つまようじ１７や、図６（ｂ）に示す副用具としての家庭用つまようじ１８や、図６（ｃ）に示す副用具としての家庭用ナイフ１９においては、副機能部としての２本ピン２０や副機能部としての１本ピン２１や副機能部としての刃体部２２の上端部に形成された蓋部２３の外周で係止突条２４が周方向全体に形成されているとともに、この蓋部２３の上側に摘みを兼ねた装飾部２５（立体的キャラクター人形）が取着されている。図６（ｄ）に示す副用具としての家庭用挟持具２６においては、副機能部としての把持腕部２７の上端部に形成された蓋部２３の外周で係止突条２４が周方向全体に形成されているとともに、この蓋部２３の上側に摘みを兼ねた装飾部２８（外周面に絵柄を付したもの）が取着されている。図６（ｅ）に示す副用具としての家庭用つまようじ２９においては、副機能部としての２本ピン３０の上端部に形成された摘みとしての被冠部３１の外側に摘みや装飾部を兼ねたクリップ３２（外面に絵柄を付したもの）が形成されている。
【００１４】
この家庭用つまようじ１７や家庭用つまようじ１８や家庭用ナイフ１９や家庭用挟持具２６や家庭用つまようじ２９と、前記スプーン本体１やフォーク本体２やフォーク付きスプーン本体３やへら本体４とを互いに組み合わせる。例えば、図７（ａ）（ｂ）に示す家庭用スプーン３３ではスプーン本体１と家庭用つまようじ１７とが、図８（ａ）（ｂ）に示す家庭用スプーン３４ではスプーン本体１と家庭用つまようじ１８とが、図９（ａ）（ｂ）に示す家庭用フォーク３５ではフォーク本体２と家庭用ナイフ１９とが、図１０（ａ）（ｂ）に示す家庭用へら３６ではへら本体４と家庭用挟持具２６とが、それぞれ組み合わされ、２本ピン２０や１本ピン２１や刃体部２２や把持腕部２７が把持柄９の収容孔１４に口部１４ａから挿入されるとともに、蓋部２３が収容孔１４の口部１４ａに対し両弾性片１３ａの弾性力に抗して嵌め込まれて口部１４ａの係止溝１６に蓋部２３の係止突条２４が係入され、装飾部２５，２８が収容孔１４の口部１４ａの外側に露出して把持柄９の尻部１１の上側に重なる。また、図１１（ａ）（ｂ）に示す家庭用スプーン３７ではフォーク付きスプーン本体３と家庭用つまようじ２９とが組み合わされ、２本ピン３０が把持柄９の収容孔１４に口部１４ａから挿入されて被冠部３１が把持柄９の尻部１１の外側に嵌め込まれ、クリップ３２がその尻部１１の外側に配置される。
【００１５】
前記家庭用スプーン３３や家庭用スプーン３４や家庭用フォーク３５や家庭用へら３６や家庭用スプーン３７では、スプーン本体１やフォーク本体２やへら本体４やフォーク付きスプーン本体３を主に使用するが、必要に応じて、家庭用つまようじ１７や家庭用つまようじ１８や家庭用ナイフ１９や家庭用挟持具２６や家庭用つまようじ２９を把持柄９の収容孔１４から抜いて使用し、使用後は再びそれらを把持柄９の収容孔１４に挿入する。
【００１６】
なお、前述した家庭用スプーン３３，３４，３７や家庭用フォーク３５や家庭用へら３６以外に、例えば把持柄を有する杓子やフライ返しや栓抜きや缶切りなどの手動器具に本発明を応用することができる。
【図面の簡単な説明】
【００１７】
【図１】（ａ）はスプーン本体を示す正面図であり、（ｂ）は同じく側面図である。
【図２】（ａ）はフォーク本体を示す正面図であり、（ｂ）は同じく側面図である。
【図３】（ａ）はフォーク付きスプーン本体を示す正面図であり、（ｂ）は同じく側面図である。
【図４】（ａ）はへら本体を示す正面図であり、（ｂ）は同じく側面図である。
【図５】（ａ）は上記各本体の把持柄を側面側から見た部分断面図であり、（ｂ）は（ａ）のＡ−Ａ線断面図である。
【図６】（ａ）（ｂ）は家庭用つまようじを示す正面図であり、（ｃ）は家庭用ナイフを示す正面図であり、（ｄ）は家庭用挟持具を示す正面図であり、（ｅ）はクリップを示す正面図である。
【図７】（ａ）は家庭用スプーンを示す正面図であり、（ｂ）は家庭用スプーンを正面側から見た部分断面図である。
【図８】（ａ）は家庭用スプーンを示す正面図であり、（ｂ）は家庭用スプーンを正面側から見た部分断面図である。
【図９】（ａ）は家庭用フォークを示す正面図であり、（ｂ）は家庭用フォークを正面側から見た部分断面図である。
【図１０】（ａ）は家庭用へらを示す正面図であり、（ｂ）は家庭用へらを正面側から見た部分断面図である。
【図１１】（ａ）は家庭用スプーンを示す正面図であり、（ｂ）は同じく側面図であり、（ｃ）は同じく背面図であり、（ｄ）は家庭用スプーンを側面側から見た部分断面図である。
【符号の説明】
【００１８】
１…スプ−ン本体（主用具）、２…フォーク本体（主用具）、３…フォーク付きスプ−ン本体（主用具）、４…へら本体（主用具）、５…すくい部（主機能部）、６…フォーク部（主機能部）、７…フォーク付きすくい部（主機能部）、８…へら部（主機能部）、９…把持柄、１０…頭部、１１…尻部、１２…尻部の端面部、１３…尻部の周面部、１４…収容孔、１４ａ…収容孔の口部、１７…家庭用つまようじ（副用具）、１８…家庭用つまようじ（副用具）、１９…家庭用ナイフ（副用具）、２０…２本ピン（副機能部）、２１…１本ピン（副機能部）、２２…刃体部（副機能部）、２５…装飾部（摘み）、２６…家庭用挟持具（副用具）、２７…把持腕部（副機能部）、２８…装飾部（摘み）、２９…家庭用つまようじ（副用具）、３０…２本ピン（副機能部）、３２…クリップ（摘み、装飾部）、３３…家庭用スプーン（手動器具）、３４…家庭用スプーン（手動器具）、３５…家庭用フォーク（手動器具）、３６…家庭用へら（手動器具）、３７…家庭用スプーン（手動器具）。
【図１】
2006296868.tif 000003
【図２】
2006296868.tif 000004
【図３】
2006296868.tif 000005
【図４】
2006296868.tif 000006
【図５】
2006296868.tif 000007
【図６】
2006296868.tif 000008
【図７】
2006296868.tif 000009
【図８】
2006296868.tif 000010
【図９】
2006296868.tif 000011
【図１０】
2006296868.tif 000012
【図１１】
2006296868.tif 000013